(57)【特許請求の範囲】
【請求項１】
所定サイズの書籍の表紙部の面積に対応する矩形カバー部と、
前記表紙部の縦方向長さを越えて前記表紙部とは反対側に折り返し可能にされた第１余剰部と、
前記表紙部の横方向長さを越えて前記第１余剰部を含む両端を前記表紙部の方向側に折り返し可能にされた第２余剰部と、
を有し、
前記第１余剰部が前記表紙部とは反対側に折り返された際、前記矩形カバー部と折り返された前記第１余剰部との間に差し込み部が形成され、
前記第２余剰部が前記表紙部の方向側に折り返された際、前記矩形カバー部と折り返された前記第２余剰部との間に前記書籍の前記表紙部の表表紙と裏表紙の端部をそれぞれ差し込むことができるポケット部が形成され、
前記第２余剰部の縦方向における両側部と、前記第２余剰部の裏側に位置する前記矩形カバー部の縦方向における両側部とを対向させた状態で、その対向する側部間をそれぞれ挟持係止することにより、前記ポケット部に差し込まれた前記表紙部を位置決めする係止体が設けられていることを特徴とするブックカバー。
【請求項２】
請求項１記載のブックカバーにおいて、
前記係止体は、一端が前記第１余剰部で、かつ前記第２余剰部に固定され、他端が前記第２余剰部で、かつ前記第１余剰部とは縦方向の反対となる側に固定され、
前記係止体を、前記ポケット部の縦方向における両端を通り、前記第２余剰部の裏側に位置する前記矩形カバー部と、前記矩形カバー部の一側部に形成された前記第１余剰部とを通るように周回させることで、前記ポケット部の縦方向における両側部をそれぞれ係止状態にできるようにしたことを特徴とするブックカバー。
【請求項３】
請求項１または２記載のブックカバーにおいて、
前記第２余剰部内の前記第１余剰部の横方向の端に舌状部を設け、前記第２余剰部内の前記矩形カバー部の横方向両端に折り込み可能とし、当該箇所を挟持することによって強度を持たせることを可能としたことを特徴とするブックカバー。
【発明の詳細な説明】
【技術分野】
【０００１】  本発明は、書籍の表紙部を保護するためのブックカバーに関し、特に、多様なサイズの書籍に適合させることができ、迅速且つ容易に装着することができるブックカバーに関する。
【背景技術】
【０００２】  書籍の装丁は表紙と裏表紙と背表紙からなるが、表紙と裏表紙に関しては、文庫判サイズ、四六判サイズ、Ａ５判サイズなど多数の規格があり、そのサイズは出版社によっても多少異なっている。また書籍の厚みによって背表紙の幅寸法が変わるので、同じ規格であっても装丁の横方向の長さが異なる。【０００３】  そのため書籍の装丁を汚れや傷から守る従来のブックカバーは書籍の規格サイズ別に作られており、例えば特許文献１に示すようなものが提案されている。
このブックカバーは、カバーの本体シートの裏面の一端側に一方の表紙部を挿入するための表紙差込用ポケット部を設け、本体シートの裏面の途中位置に他方の表紙部が挿通される表紙挿通用帯部を設け、本体シートの他端側にはその表紙部を越える部分を表紙の裏側へ折り曲げて表紙挿通用帯部に差し込み係止するための折り曲げ用余剰部を設けたもので、厚みの異なる書籍に対応できるようにしたものである。【０００４】  また本の規格によって縦方向のサイズを調整でき、書籍の厚みが変わっても横方向の調節が可能なものとして例えば特許文献２に示すようなものが提案されている。
このブックカバーはブックカバーを形成する本体を本のサイズにあわせて縦方向と横方向に折り返し、その折り返し部分にマグネットまたは、面ファスナーを施すことで、自由にサイズを変更できるブックカバーである。
【先行技術文献】
【特許文献】
【０００５】
【特許文献１】  特開２００３−７２２６１号公報
【特許文献２】  特開２００４−９８６６５号公報
【発明の概要】
【発明が解決しようとする課題】
【０００６】  特許文献１に開示のブックカバーは、厚みの異なる書籍に使用することはできるが、文庫判サイズ（１０５ｍｍ×１４８ｍｍ）、四六判サイズ（１２７ｍｍ×１８８ｍｍ）、Ａ５サイズ（１４８ｍｍ×２１０ｍｍ）等、サイズの異なる書籍のカバーとして共用することはできない。
このため、書籍の装丁を保護するためにブックカバーを装着したい場合でも書籍の規格サイズごとに幾種類ものブックカバーを用意する必要がある。
またブックカバーを用意する場合でも予め書籍のサイズを調べておかなければならない、といった不都合があった。【０００７】  また、出版社ごとに書籍の縦横の長さが微妙に異なることが多いので、ぴったり適合するブックカバーを見つけ出すことができない場合がある。
このような場合、大きめのブックカバーを使用せざるを得ず、ブックカバーの上端部が書籍から大きくはみ出した状態になるので、見た目が悪く、カバーが外れ易いといった問題があった。【０００８】  特許文献２に開示のブックカバーは本体の折り返し部分にマグネットまたは面ファスナーを施す必要があり、製造コストが高くなってしまう。また折り返し部が多く、書籍のサイズに合わせてブックカバー本体のサイズを変更するのに手間がかかってしまう。
そこで、本発明は、少ない部品構成で多様なサイズの書籍に適合させることができ、迅速且つ容易に装着することができるブックカバーの提供を目的とする。
【課題を解決するための手段】
【０００９】
上記課題を解決するために、本発明に係るブックカバーは、所定サイズの書籍の表紙部の面積に対応する矩形カバー部と、前記表紙部の縦方向長さを越えて前記表紙部とは反対側に折り返し可能にされた第１余剰部と、前記表紙部の横方向長さを越えて前記第１余剰部を含む両端を前記表紙部の方向側に折り返し可能にされた第２余剰部と、を有し、前記第１余剰部が前記表紙部とは反対側に折り返された際、前記矩形カバー部と折り返された前記第１余剰部との間に差し込み部が形成され、前記第２余剰部が前記表紙部の方向側に折り返された際、前記矩形カバー部と折り返された前記第２余剰部との間に前記書籍の前記表紙部の表表紙と裏表紙の端部をそれぞれ差し込むことができるポケット部が形成され、前記第２余剰部の縦方向における両側部と、前記第２余剰部の裏側に位置する前記矩形カバー部の縦方向における両側部とを対向させた状態で、その対向する側部間をそれぞれ挟持係止することにより、前記ポケット部に差し込まれた前記表紙部を位置決めする係止体が設けられていることを特徴としている。
ここでいう「所定サイズの書籍」とは、書店で広く販売されている書籍のうち、比較的サイズの小さい書籍、又は標準的なサイズの書籍をいう。また、「表紙部」とは、書籍の表表紙、背表紙及び裏表紙を合わせた書籍の装丁部分いう。
【００１０】
本発明において、前記係止体は、一端が前記第１余剰部で、かつ前記第２余剰部に固定され、他端が前記第２余剰部で、かつ前記第１余剰部とは縦方向の反対となる側に固定され、前記係止体を、前記ポケット部の縦方向における両端を通り、前記第２余剰部の裏側に位置する前記矩形カバー部と、前記矩形カバー部の一側部に形成された前記第１余剰部とを通るように周回させることで、前記ポケット部の縦方向における両側部をそれぞれ係止状態にできるようにしてもよい。
また、前記第２余剰部内の前記第１余剰部の横方向の端に舌状部を設け、前記第２余剰部内の前記矩形カバー部の横方向両端に折り込み可能とし、当該箇所を挟持することによって強度を持たせることを可能としてもよい。
【発明の効果】
【００１１】  請求項１に係る発明は、所定サイズの書籍の表紙部の面積に対応する矩形カバー部に加えて、表紙部の縦方向長さを越えて折り返した第１余剰部をカバー部材に設けたので、書籍の縦方向長さに合わせて第１余剰部を折り返すことで規格の書籍サイズに合わせて縦方向の長さを設定することができる。【００１２】  また、カバー部材の両端に、表紙部の横方向長さを越える第２余剰部を設けたので、書籍の横方向の長さ（即ち、表表紙・裏表紙の横の長さ、及び書籍の厚み）に関わらず、書籍のサイズに適合したブックカバーを形作ることができる。【００１３】  また、この第２余剰部を任意の位置で折り曲げることで、第２余剰部と第２余剰部の裏側に位置する第１余剰部を含む矩形カバー部の間に書籍の表紙の端と裏表紙の端をそれぞれ差し込むことができるポケット部が形成され、書籍を固定することができる。【００１４】  また、矩形カバー部と折り返した第１余剰部の間に差し込み部が形成されるため、しおりや切符などを挟んで収納することができる。【００１５】  これによって、規格の書籍サイズごとに、各種のブックカバーを取り揃える必要がなくなる。
また、気に入ったデザインのブックカバーを見つけた際には、書籍のサイズが解からない場合であっても、気軽に購入することができるようになる。【００１６】
請求項２に係るブックカバーは、両端が固定された係止体を、ポケット部の縦方向における両端を通り、第２余剰部の裏側に位置する矩形カバー部と、矩形カバー部の一側部に形成された第１余剰部とを通るように周回させることで、ポケット部の縦方向における両側部をそれぞれ係止状態にできるようにしているので、簡単に、ポケット部に差し込まれた表紙部を、矩形カバー部に対応する位置に固定することができる。
【００１７】
請求項３に係るブックカバーは、第２余剰部内の第１余剰部の横方向の端に舌状部を設け、第２余剰部内の矩形カバー部の横方向両端に折り込み可能とし、当該箇所を挟持することによって強度を持たせることを可能としているので、第２余剰部内の第１余剰部が係止体に逆方向へ引っ張られることで起こる捲れを防ぐことができる。
【図面の簡単な説明】
【００１８】
【図１−ａ】本発明の実施形態に係るブックカバーの正面図である。
【図１−ｂ】上記ブックカバーを斜め下から見た正面図である。
【図１−ｃ】上記ブックカバーの背面図である。
【図２】上記ブックカバーのカバー部材の裏と表の模様を変えたときの背面図である。
【図３】本実施形態例である帯状係止体を設けたときの説明図である。
【図４−ａ】本実施形態例である長帯状係止体を設けたときの説明図である。
【図４−ｂ】上記、長帯状係止体を設けたときの装着図（正面）である。
【図４−ｃ】上記、長帯状係止体を設けたときの装着図（背面）である。
【図５】上記、長帯状係止体を設け、かつ面ファスナーを設けたときの説明図である。
【図６−ａ】本実施形態の変型例である輪状係止体を設けたときの説明図である。
【図６−ｂ】上記、輪状係止体を設けたときの装着図（正面）である。
【図６−ｃ】上記、輪状係止体を設けたときの装着図（背面）である。
【発明を実施するための形態】
【実施例】
【００１９】本発明の好適な実施形態について、添付図面に基づいて説明する。
なお、実施形態は以下の形態に限定されるものではなく、本発明の課題を解決し得るものであれば他の態様も可能である。【００２０】  図１に示す通り、このブックカバー１は、書籍を保護又は包装するためのものであり、矩形カバー部３と、第１余剰部４と、第２余剰部５と、からなるカバー部材２によって構成されている。
カバー部材２は、書籍の表紙から背表紙を経て裏表紙にわたる表紙部を覆う部材であり、紙や布などの折り曲げ可能なシート材からなる。【００２１】  このカバー部材２は、所定サイズの書籍の表紙部の面積に対応する矩形カバー部３と、当該書籍の表紙部の縦方向長さを越えて折り返した第１余剰部４と、表紙部の横方向長さを越えて第１余剰部４を含む両端を折り返した第２余剰部５とによって構成されている。
矩形カバー部３は、このブックカバー１を使用可能な書籍のうち最も小さなサイズの書籍（例えば、文庫サイズ）の表紙部の大きさに対応する領域である。【００２２】  矩形カバー部３と第１余剰部４とは、筋付けされた第１の折り曲げ誘導線Ｌ１によって区画付けられている。
この第１の折り曲げ誘導線Ｌ１は、このブックカバーを使用可能な書籍のうち最も小さな規格サイズ（文庫サイズの場合、１０５ｍｍ×１４８ｍｍ）の書籍の縦方向の長さに対応する高さに位置しており、その下方には、他の規格サイズ（例えば、四六判サイズ、Ａ５判サイズ等）に対応する折り曲げ誘導線Ｌ２、Ｌ３・・・が筋付けされている。【００２３】  この折り曲げ誘導線Ｌに沿って第１余剰部を折り返すことで、迅速かつ容易に規格サイズの書籍の縦方向を設定できる。
なお、本実施形態においては、筋付けされた折り曲げ誘導線Ｌを、第１余剰部４に設けたが、折り曲げを誘導しうるものであれば、如何なるものであってもよく、例えば、ミシン目や印刷された直線、型で筋押しした線であってもよい。【００２４】  図１−ｃに示す通り、第１余剰部を折り返すことにより、矩形カバー部と第１余剰部の間に差し込み部１２が形成されるため、図２に示す通り、しおりや切符などを挟んで収納することができる。
また、図２に示す通り、第１余剰部を折り返すことにより、カバー部材２の裏面がおもてに現れるため、このカバー部材２の裏と表を別々の色にしたり、裏面に模様などを施したりすることで、折り返した際にブックカバーのデザインが変化し、使用者の趣味感に訴える効果を生む。【００２５】  図１に示す通り、カバー部材２の両端を任意の位置で折り曲げることで形成される第２余剰部によって、第２余剰部５と第２余剰部５の裏側に位置する第１余剰部４を含む矩形カバー部の間に書籍の表紙の端と裏表紙の端をそれぞれ差し込むことができるポケット部１１が形成され、書籍を固定することができる。
なお、任意の位置とは書籍の背表紙中心を矩形カバーに設けた中心目安線に合わせた状態で、表紙部の横方向長さを超えた位置である。【００２６】  図１に示す通り、前記ポケット部１１には、差し込んだ書籍の表紙と裏表紙をしっかり固定できるよう、ポケット部を形成する第２余剰部と、第２余剰部の裏側に位置する第１余剰部を含む矩形カバー部のそれぞれ縦方向における両側部とをそれぞれ挟持係止する係止体１０を設けられている。
なお、本実施形態においては、書籍のサイズに合わせ第１余剰部４の折り返しや第２余剰部５の折り返しの位置が変化するのに伴って係止体１０の係止位置も変える必要があるため、着脱が可能なものであれば、如何なるものであってもよく、クリップ状部材、面ファスナー部材であってもよい。【００２７】  また、図３に示す通り、この係止体１０は帯状係止体１５で構成されてもよい。
なお、本実施形態においては、帯状係止体１５の両端は、ポケット部の縦方向における両側部を挟持係止しながら、挿入される書籍の表紙と裏表紙の様々な厚みに対応することができるよう、また書籍のサイズに合わせ第１余剰部４の折り返しや第２余剰部５の折り返しの位置が変化するのに伴って係止位置を変える必要があるため、着脱が可能なボタン、ホック、面ファスナーなどで係止してもよい。
また、帯状係止体１５は幅が広く長さが調整しうるものであれば、如何なるものであってもよく、例えば、テープ状部材、ゴムバンド材であってもよい。【００２８】  また、図４に示す通り、この係止体１０は長帯状係止体１６で構成されてもよい。係止体１０や前記帯状係止体１５はポケット部１１の縦方向における両側部に最低二つ形成されることが必要だが、長帯状係止体１６を設ければ、長帯状係止体１６一つでポケット部の縦方向における両側部を挟持係止することができ、且つ第一余剰部の折り返し位置によってカバー部材２の縦方向の長さが変化しても、それに合わせて長帯状係止体１６の係止位置が変化することによって、長帯状係止体１６のたわみが一定に保たれる。【００２９】  この長帯状係止体１６の両端は、片端が第２余剰部５内の第１余剰部の折り曲げ誘導線側の一側部、もう片端が第１余剰部を除く第２余剰部５の折り曲げ誘導線側とは反対の一側部に係止されている。
なお、本実施形態においては、長帯状係止体１６は長い帯状のものであれば、如何なるものであってもよく、例えば、テープ状部材、ゴムバンド材であってもよい。【００３０】  長帯状係止体１６の装着手順としては、図４−ａに示す通り、先ず書籍の表紙の端と裏表紙の端をそれぞれ両端のポケット部１１に差し込む。
次に、図４−ｂ・４−ｃに示す通り、ポケット部を構成する第２余剰部の当該箇所に両端を係止された半輪状の長帯状係止体１６を、ポケット部の縦方向における両端を通り、第２余剰部の裏側に位置する矩形カバー部と矩形カバー部の一側部に形成された第１余剰部とを通るように周回させれば、迅速かつ容易にポケット部の縦方向における両側部をそれぞれ係止することができる。【００３１】  また、長帯状係止体１６片端の係止箇所である第２余剰部５内の第１余剰部４が長帯状係止体１６に逆方向へ引っ張られることで起こる捲れを防ぐために、図４−ａに示す通り、第２余剰部５内の第１余剰部の横方向の端に舌状部２０を設け、第２余剰部５内の矩形カバー部横方向両端に折り込み、当該箇所を挟持することによって強度を持たせてもよい。
また、捲れを防ぐための方法として、図５に示す通り、長帯状係止体１６片端の係止箇所である第２余剰部５内の第１余剰部４の裏面と、当該箇所の裏側に位置する第２余剰部内の矩形カバー部表面を密着させる面ファスナーを設けてもよい。【００３２】また、図６に示す通り、ポケット部１１の両端を挟持係止する係止体１０は、輪状係止体１７で構成されてもよい。
係止体１０、帯状係止体１５、長帯状係止体１６は端部をカバー部材２のいずれかの位置に着脱可能に係止、もしくは固定係止する必要があるが、輪状係止体１７を設ければ端部を係止せずにポケット部の縦方向における両側部を挟持係止することができる。
なお、本実施形態においては、輪状係止体１７は輪状のものであれば、如何なるものであってもよく、例えば、輪ゴム、テープ状部材、ゴムバンド材であってもよい。【００３３】  輪状係止体１７の装着手順としては、図６−ａに示す通り、先ず書籍の表紙の端と裏表紙の端をそれぞれ両端のポケット部１１に差し込む。
次に、図６−ｂ・６−ｃ、に示す通り、輪状係止体１７をポケット部の縦方向における両端を通るよう周回させれば、迅速かつ容易にポケット部の縦方向における両側部をそれぞれ係止することができる。
また、ポケット部の縦方向における両側部には、あらかじめ輪状係止体１７の位置を固定する切り込み２２を入れておいても良い。
【産業上の利用可能性】
【００３４】  上述の発明は、書籍包装用の包装部材としても利用可能である。
【符号の説明】
【００３５】１・・・ブックカバー
２・・・カバー部材
３・・・矩形カバー部
４・・・第１余剰部
５・・・第２余剰部
１０・・・係止体
１１・・・ポケット部
１２・・・差し込み部
１５・・・帯状係止体
１６・・・長帯状係止体
１７・・・輪状係止部材
２０・・・舌状部
２１・・・面ファスナー
２２・・・切り込み部
Ｌ・・・折り曲げ誘導線
Ｍ・・・中心目安線
【図１−ａ】
0005490527.tif 000002
【図１−ｂ】
0005490527.tif 000003
【図１−ｃ】
0005490527.tif 000004
【図２】
0005490527.tif 000005
【図３】
0005490527.tif 000006
【図４−ａ】
0005490527.tif 000007
【図４−ｂ】
0005490527.tif 000008
【図４−ｃ】
0005490527.tif 000009
【図５】
0005490527.tif 000010
【図６−ａ】
0005490527.tif 000011
【図６−ｂ】
0005490527.tif 000012
【図６−ｃ】
0005490527.tif 000013